(57)【要約】【課題】夜間など暗くて携帯端末のユーザの詳細な様子がわからないときでも、該ユーザが該携帯端末を使用中であり、周辺への注意力が低下している可能性があるということを周辺の人が容易に把握することができる携帯端末を提供すること。【解決手段】発光する発光部と、自装置の使用状態を検出する使用状態検出部と、自装置の周辺が暗いか否かを判定する環境判定部と、使用状態検出部が検出した使用状態が使用中であり、かつ、環境判定部が暗いと判定したときは、発光部を発光させる発光部制御部とを具備することを特徴とする。【選択図】図１
2014123869.tif 000002
【特許請求の範囲】
【請求項１】
発光する発光部と、
使用状態を検出する使用状態検出部と、
自装置の周辺が暗いか否かを判定する環境判定部と、
前記使用状態検出部が検出した使用状態が使用中であり、かつ、前記環境判定部が暗いと判定したときは、前記発光部を発光させる発光部制御部と
を具備することを特徴とする携帯端末。
【請求項２】
走行している車両の有無を判定する車両検出部を具備し、
前記発光部制御部は、前記使用状態が使用中であり、かつ、前記環境判定部が暗いと判定したときは、前記車両検出部の判定結果により、前記発光部を発光させる周期を変更すること
を特徴とする請求項１に記載の携帯端末。
【請求項３】
前記発光部は、複数の方向の中から指定された方向に向けて発光し、
前記車両検出部は、走行している車両の有無を判定するとともに、該車両が位置する方向を検出し、
前記発光部制御部は、前記発光部を発光させるときは、前記車両検出部が検出した方向に応じた方向を指定すること
を特徴とする請求項２に記載の携帯端末。
【請求項４】
発光する発光部を具備する携帯端末における通知方法であって、
前記携帯端末が、自装置の使用状態を検出する第１の過程と、
前記携帯端末が、自装置の周辺が暗いか否かを判定する第２の過程と、
前記携帯端末が、前記第１の過程にて検出した使用状態が使用中であり、かつ、前記第２の過程にて暗いと判定したときは、前記発光部を発光させる第３の過程と
を有することを特徴とする通知方法。
【請求項５】
発光する発光部を具備する携帯端末のコンピュータを、
前記携帯端末の使用状態を検出する使用状態検出部、
自装置の周辺が暗いか否かを判定する環境判定部、
前記使用状態検出部が検出した使用状態が使用中であり、かつ、前記環境判定部が暗いと判定したときは、前記発光部を発光させる発光部制御部
として機能させるためのプログラム。
【発明の詳細な説明】
【技術分野】
【０００１】
本発明は、携帯端末、通知方法およびプログラムに関する。
【背景技術】
【０００２】
従来、ユーザが携帯電話でイヤホンを使用していて外部の音が遮断されている環境で、音声を発している人や物体が接近してくると、音声のボリュームを制御してフェードアウトさせ（音量を徐々に下げ）、アラーム通知音声をユーザに対して送る携帯電話がある（例えば、特許文献１）。さらに、特許文献１に記載の携帯電話は、内蔵している感知センサが音声周波数を検知し、音声周波数の違いでどのような物体が接近してきているのか判定したり、ドップラー効果の原理を用いて音声周波数が増加する物体にだけアラームを出したりもする。
【先行技術文献】
【特許文献】
【０００３】
【特許文献１】特開２０１０−１２８７８９号公報
【発明の概要】
【発明が解決しようとする課題】
【０００４】
従来の携帯電話においては、携帯電話を使用しているユーザには人や物体の接近を通知できる。しかしながら、該ユーザに接近している方からは、夜間などは暗くて該ユーザの詳細な様子がわからないために、該ユーザが携帯端末を使用しており、周辺への注意力が低下している可能性があるということを、把握し難いことがあるという問題がある。
【０００５】
本発明は、このような事情に鑑みてなされたもので、夜間など暗くて携帯端末のユーザの詳細な様子がわからないときでも、該ユーザが使用中であり、周辺への注意力が低下している可能性があるということを周辺の人が容易に把握することができる携帯端末、通知方法およびプログラムを提供する。
【課題を解決するための手段】
【０００６】
この発明は上述した課題を解決するためになされたもので、本発明の一態様は、発光する発光部と、使用状態を検出する使用状態検出部と、自装置の周辺が暗いか否かを判定する環境判定部と、前記使用状態検出部が検出した使用状態が使用中であり、かつ、前記環境判定部が暗いと判定したときは、前記発光部を発光させる発光部制御部とを具備することを特徴とする携帯端末である。
【発明の効果】
【０００７】
この発明によれば、夜間など暗くて携帯端末のユーザの詳細な様子がわからないときでも、該ユーザが通話中であり、周辺への注意力が低下している可能性があるということを周辺の人が容易に把握することができる。
【図面の簡単な説明】
【０００８】
【図１】この発明の第１の実施形態による携帯電話端末１０の構成を示す概略ブロック図である。
【図２】同実施形態による制御部１１２の構成を説明する概略ブロック図である。
【図３】同実施形態による携帯電話端末１０の動作を説明するフローチャートである。
【図４】同実施形態による周辺状況に応じた携帯電話端末１０の動作を説明する上面図である。
【図５】この発明の第２の実施形態による車両検出部１４２の動作タイミングを説明するタイムチャートである。
【図６】この発明の第３の実施形態によるマイクロフォン１０４−１〜１０４−４、フラッシュライト部１０８−１〜１０８−４の配置を説明する図である。
【図７】同実施形態における周辺状況に応じた携帯電話端末１０の動作を説明する上面図である。
【発明を実施するための形態】
【０００９】
［第１の実施形態］
以下、図面を参照して、本発明の第１の実施形態について説明する。本実施形態における携帯電話端末１０は、夜間など暗くて携帯電話端末１０のユーザの詳細な様子がわからないときでも、該ユーザが通話中であり、周辺への注意力が低下している可能性があるということを周辺の人に通知する。図１は、この発明の一実施形態による携帯電話端末１０の構成を示す概略ブロック図である。図１に示すように、携帯電話端末１０は、アンテナ１０１、無線通信部１０２、入力部１０３、マイクロフォン１０４、Ａ／Ｄ変換部１０５、Ｄ／Ａ変換部１０６、スピーカ１０７、フラッシュライト部１０８、表示ドライバ部１０９、ディスプレイ部１１０、照度センサ部１１１、制御部１１２を含んで構成される。
【００１０】
アンテナ１０１は、携帯電話端末１０が、携帯電話網の基地局に送信する無線信号の送信と、該基地局が送信した無線信号の受信とを行う。無線通信部１０２は、アンテナ１０１を介して、携帯電話網の基地局と無線通信する。入力部１０３は、ユーザが携帯電話端末１０を操作するための入力キーと、タッチパネルとを備える。入力部１０３は、入力キーが押下されると、押下された入力キーを示す信号を制御部１１２に入力し、タッチパネルがタッチされると、タッチされた位置を示す情報を制御部１１２に入力する。
【００１１】
マイクロフォン１０４は、通話のためにユーザが発した声を含む音声を収音し、該音声の音声信号をＡ／Ｄ変換部１０５に入力する。Ａ／Ｄ（Analogue to Digital）変換部１０５は、マイクロフォン１０４から入力された音声信号をディジタル信号に変換し、制御部１１２に入力する。Ｄ／Ａ（Digital to Analogue）変換部１０６は、通話相手から受けた音声のディジタル信号を、制御部１１２から入力される。Ｄ／Ａ変換部１０６は、入力されたディジタル信号をアナログ信号に変換し、スピーカ１０７に入力する。スピーカ１０７は、Ｄ／Ａ変換部１０６から入力されたアナログ信号を用いて振動板を振動させ、音声を出力する。
【００１２】
フラッシュライト部１０８は、ＬＥＤ（Light-Emitting Diode）などの発光デバイスを備え、制御部１１２からの指示に従い、発光する。これにより、周辺の人に、携帯電話端末１０のユーザが通話中であることを通知する。表示ドライバ部１０９は、制御部１１２から入力された画像信号に従い、ディスプレイ部１１０に画像を表示させる。
【００１３】
ディスプレイ部１１０は、液晶ディスプレイ、有機ＥＬディスプレイなどの表示デバイスである。照度センサ部１１１は、照度センサを備え、照度センサが測定した照度を示す信号を制御部１１２に入力する。この照度センサは、ユーザが通話中でも、周囲の照度を測定できるように、通話中にユーザの頭部に押し付けられるスピーカ１０７が設置されている面とは、反対側の面に設置されている。制御部１１２は、ＣＰＵと、ＣＰＵが実行するプログラムを格納したメモリとを備え、携帯電話端末１０全体を制御する。制御部１１２は、フラッシュライト部１０８の発光も制御するが、その制御の詳細については後述する。
【００１４】
図２は、制御部１１２の構成を説明する概略ブロック図である。図２は、制御部１１２が行う制御のうち、フラッシュライト部１０８の発光制御に関連する構成とともに、図１に示した各部との関係も示す。制御部１１２は、通話処理部１４１、車両検出部１４２、環境判定部１４３、発光部制御部１４４を含んで構成される。上述したように、制御部１１２は、ＣＰＵと、ＣＰＵが実行するプログラムを格納したメモリとを備え、該ＣＰＵが該プログラムを実行することで、通話処理部１４１、車両検出部１４２、環境判定部１４３、発光部制御部１４４の機能を実現する。なお、これら各部のいずれかもしくはそのいずれかの一部を、専用のハードウェアにより実現してもよい。
【００１５】
通話処理部１４１は、携帯電話網を介して通話相手と通話するために、自装置のユーザの音声信号の符号化と、通話相手の符号化音声信号の復号とを行う。また、通話処理部１４１（通話状態検出部）は、自装置が通話中であるか否か（通話状態）を検出し、発光部制御部１４４に通知する。
【００１６】
通話中は、通話処理部１４１は、具体的には以下のような処理を行う。通話処理部１４１は、Ａ／Ｄ変換部１０５からディジタル信号に変換した自装置のユーザの音声信号を受け、該音声信号を、基地局を介して通話相手に送信するために符号化して、無線通信部１０２に入力する。また、通話処理部１４１は、基地局を介して通話相手から受信した符号化音声信号を無線通信部１０２から受け、該符号化音声信号を、スピーカ１０７から出力するために復号し、Ｄ／Ａ変換部１０６に入力する。
【００１７】
車両検出部１４２は、マイクロフォン１０４が収音した音声のディジタル信号を、Ａ／Ｄ変換部１０５から受け、該信号を用いて、走行している車両の有無を判定する。走行している車両の有無の判定には、特開２０１０−１２８７８９号公報、コインパーキング用自動車検出センサーの開発（http://www.ei.fukui-nct.ac.jp/sotsu/2003/22-fujita.pdf）などに記載されているエンジン音を検出する公知の方法を用いてもよいし、走行音による接近自動車検出における自動エンジン音の影響について（旭健作、三好史泰、小川明著、電子情報通信学会大会講演論文集、Ｖｏｌ２００５、ｐ２３６、２００５年９月７日発行）などに記載されているタイヤからの走行音を検出する公知の方法を用いてもよい。また、ローパスフィルタを用いて、低周波成分を抽出し、その音声レベルが所定の閾値以上であれば、走行している車両が有ると判定するようにしてもよい。
【００１８】
環境判定部１４３は、照度センサ部１１１から照度を示す信号を受け、自装置の周囲が暗いか否かを判定する。具体的には、環境判定部１４３は、照度センサ部１１１から受けた信号が示す照度が予め設定された閾値より小さいときは、暗いと判定し、小さくないときは、暗くないと判定する。なお、環境判定部１４３は、日付、現在位置から、周辺が暗いか否かを推定するようにしてもよい。具体的には、環境判定部１４３は、まず、ＧＰＳ（Global Positioning System）の信号を受信し、該信号を用いて算出した日付、現在位置から、日の出、日の入りの時刻を推定する。次に、環境判定部１４３は、日の入りから所定時間後から日の出の所定時間前までを暗い時間帯と推定する。そして、環境判定部１４３は、現在時刻が該暗い時間帯に属するか否かで、周辺が暗いか否かを推定する。
【００１９】
発光部制御部１４４は、通話処理部１４１が検出した通話状態が通話中であり、かつ、環境判定部１４３が暗いと判定したときは、フラッシュライト部１０８を４秒間隔で発光させる。発光部制御部１４４は、通話処理部１４１が検出した通話状態が通話中であり、かつ、環境判定部１４３が暗いと判定しており、さらに、車両検出部１４２が、走行している車両が有ると判定しているときは、フラッシュライト部１０８を発光させる周期を変更し、１秒間隔で発光させる。
【００２０】
図３は、携帯電話端末１０の動作を説明するフローチャートである。図３は、通話中のフラッシュライト部１０８の発光制御に関わる処理のフローチャートである。通話を開始すると、発光部制御部１４４は、通話処理部１４１に通話状態を検出させ、検出結果が通話中であるか否かを判定する（Ｓ１）。通話が終了しており通話中でないときは（Ｓ１−Ｎｏ）、処理を終了する。ステップＳ１にて、通話中であると判定したときは（Ｓ１−Ｙｅｓ）、発光部制御部１４４は、環境判定部１４３に周辺が暗いか否かを判定させる（Ｓ２）。暗くないと環境判定部１４３が判定しているときは（Ｓ２−Ｎｏ）、ステップＳ１に戻る。
【００２１】
一方、ステップＳ２により、暗いと環境判定部１４３が判定しているときは（Ｓ２−Ｙｅｓ）、発光部制御部１４４は、フラッシュライト部１０８を一回発光させ（Ｓ３）、４秒待機する（Ｓ４）。次に、発光部制御部１４４は、車両検出部１４２に走行している車両の有無を検出させる（Ｓ５）。車両検出部１４２が走行している車両を検出しなかったときは（Ｓ５−Ｎｏ）、ステップＳ１に戻る。一方、ステップＳ５により、車両検出部１４２が走行している車両を検出しているときは（Ｓ５−Ｙｅｓ）、発光部制御部１４４は、フラッシュライト部１０８を一回発光させる（Ｓ６）。そして、１秒待機した後（Ｓ７）、ステップＳ５に戻る。
【００２２】
図４は、周辺状況に応じた携帯電話端末１０の動作を説明する上面図である。図４において、上面図Ｃｄ１では、ユーザＵが携帯電話端末１０を用いて通話中である。車両Ｃは、ユーザＵの後方から近付いているが、携帯電話端末１０から車両Ｃまでの距離が遠い。このため、携帯電話端末１０の位置では車両Ｃの走行音が小さく、携帯電話端末１０は、車両Ｃの存在を検出していない。したがって、携帯電話端末１０は、フラッシュライト部１０８を４秒間隔で発光させる。この状態でも、車両Ｃの運転者は、フラッシュライト部１０８の発光に気付けば、ユーザＵの行動に気を付けながら、車両Ｃを運転することが出来る。
【００２３】
上面図Ｃｄ２は、上面図Ｃｄ１の状態から時間が経過し、車両ＣがユーザＵ、すなわち携帯電話端末１０に近づいたときの状況を示す。車両Ｃが、携帯電話端末１０に近づいたので、携帯電話端末１０の位置における車両Ｃの走行音が十分に大きく、携帯電話端末１０は、車両Ｃの存在を検出している。したがって、携帯電話端末１０は、フラッシュライト部１０８を１秒間隔で発光させるため、車両Ｃの運転者は、該発光により気付きやすくなり、ユーザＵの行動に気を付けながら、車両Ｃを運転することが出来る。
【００２４】
このように、通話中であり、かつ、周辺が暗いときには、フラッシュライト部１０８を発光させるので、夜間など暗くて携帯電話端末１０のユーザの詳細な様子がわからないときでも、該ユーザが通話中であり、周辺への注意力が低下している可能性があるということを周辺の人が容易に把握することができる。
さらに、走行している車両を検出したときは、フラッシュライト部１０８の発光間隔を変更し、より短い間隔とするので、該車両の運転者は、該ユーザが通話中であり、周辺への注意力が低下している可能性があるということを容易に把握することができる。
【００２５】
［第２の実施形態］
以下、図面を参照して、本発明の第２の実施形態について説明する。本実施形態における携帯電話端末１０の構成は、図１、図２と同様であるので、詳細な説明を省略する。ただし、本実施形態における車両検出部１４２は、走行している車両の検出処理を行うタイミングが異なる。
【００２６】
図５は、車両検出部１４２の動作タイミングを説明するタイムチャートである。図５において、横軸は時間であり、グラフＭｓは、マイクロフォン１０４が収音した音声の音声レベル、すなわちＡ／Ｄ変換部１０５から制御部１１２に入力された音声信号のレベルである。また、グラフＳｓは、スピーカ１０７が出力する音声の音声レベル、すなわち通話処理部１４１が復号した音声信号のレベルである。
【００２７】
区間Ｔ１、Ｔ３、Ｔ５は、通話相手が喋っているので、スピーカ１０７が出力する音声の音声レベルＳｓが高くなっている。一方、区間Ｔ２、Ｔ４は、携帯電話端末１０のユーザが喋っているので、マイクロフォン１０４が収音した音声の音声レベルＭｓが高くなっている。しかし、音声レベルＭｓは、通話相手が喋っている区間Ｔ１、Ｔ３、Ｔ５では、通常、ユーザは喋らないので、ユーザが発する音声の影響を受けずに走行している車両の音声レベルを検出することができる。
【００２８】
そこで、本実施形態における車両検出部１４２は、通話処理部１４１からＤ／Ａ変換部１０６に入力する復号した音声信号を取得し、その音声レベルを算出する。車両検出部１４２は、該音声レベルが予め設定された閾値よりも大きいときは、通話相手が喋っていると判定し、そのときに、Ａ／Ｄ変換部１０５から入力された音声信号を用いて、走行している車両の有無を判定する。
【００２９】
これにより、走行している車両の検出に用いるマイクロフォンと、通話に用いるマイクロフォンとを共用していても、走行している車両を検出する際に、通話のためのユーザが発した音声による影響を抑えることができる。
【００３０】
［第３の実施形態］
以下、図面を参照して、本発明の第３の実施形態について説明する。本実施形態における携帯電話端末１０の構成は、図１、図２と同様であるので、詳細な説明を省略する。ただし、本実施形態における携帯電話端末１０は、図６に示すように、マイクロフォン１０４は複数のマイクロフォン１０４−１〜１０４−４を含んで構成され、フラッシュライト部１０８も複数のフラッシュライト部１０８−１〜１０８−４を含んで構成される。
【００３１】
図６に矢印で示すように、マイクロフォン１０４−１の収音方向と、フラッシュライト部１０８−１の発光方向とは、ほぼ一致している。同様に、マイクロフォン１０４−２、１０４−３、１０４−４各々の収音方向は、フラッシュライト部１０８−２、１０８−３、１０８−４のうち符号の枝番が一致するものの発光方向と、ほぼ一致している。なお、通話の際に、ユーザが発した音声を収音するマイクロフォンは、マイクロフォン１０４−１〜１０４−４の中のいずれかであってもよいし、これらとは別に設けてもよい。
【００３２】
本実施形態における車両検出部１４２は、マイクロフォン１０４−１〜１０４−４が収音し、生成した音声信号を用いることで、走行している車両がいずれの方向に位置しているかも判定する。例えば、エンジン音を検出しているときは、検出したエンジン音の音声レベルが閾値を超えるマイクロフォンの方向に、走行している車両が位置していると判定する。
【００３３】
そして、本実施形態における発光部制御部１４４は、フラッシュライト部１０８を発光させる際には、車両検出部１４２が走行している車両が位置していると判定した方向に、発光する方向が最も近いフラッシュライト部を発光させる。すなわち、車両検出部１４２は、エンジン音の音声レベルが閾値を超えるマイクロフォンを示す信号を、発光部制御部１４４に入力する。そして、発光部制御部１４４は、該信号が示すマイクロフォンに対応するフラッシュライト部を発光させる。
【００３４】
図７は、周辺状況に応じた携帯電話端末１０の動作を説明する上面図である。図７における上面図Ｃｄ３では、ユーザＵが携帯電話端末１０を用いて通話中である。そして、ユーザＵの後方には、走行している車両Ｃ１が位置し、ユーザＵの右方には、走行している車両Ｃ２が位置している。携帯電話端末１０は、ユーザＵの後方と、右方に、走行している車両が位置していると判定し、ユーザＵの後方と右方に向けて、１秒間隔で発光する。
【００３５】
これにより、フラッシュライト部１０８が発光できる方向のうち、走行している車両が位置する方向に近い方向に発光することになるので、走行している車両の運転者は、該発光に気付く易くなり、ユーザが携帯端末を通話中であり、周辺への注意力が低下している可能性があるということを、より容易に把握することができる。
【００３６】
なお、フラッシュライト部１０８が有するフラッシュライトの数と、マイクロフォン１０４が有するマイクロフォンの数とは一致していなくてもよい。例えば、車両検出部１４２は、各マイクロフォン１０４−１〜１０４−Ｎからの音声信号のレベルに応じた重み付けをして、走行している車両が位置する方向を推定し、発光部制御部１４４は、フラッシュライト部１０８−１〜１０８−Ｍのうち、発光する方向が、該推定した方向に最も近いものを選択して発光させるようにしてもよい。また、推定した方向に最も近いもの上位３つなど、発光させるフラッシュライト部を複数にしてもよい。
【００３７】
なお、上述の各実施形態において、発光部制御部１４４は、フラッシュライト部１０８の発光間隔を、走行している車両の有無により変更しているが、さらに、該車両からの音が大きいほど、該発光間隔を短くするようにしてもよい。これは、音が大きいほど、該車両の位置がより近い、あるいは、該車両の接近速度がより速いと推定できるので、該車両の運転者に、携帯電話端末１０のユーザの存在を通知する必要性が高いためである。また、フラッシュライト部１０８が複数のフラッシュライトを有しているときは、音が大きいほど、発光するフラッシュライトの数を多くするようにしてもよい。
【００３８】
また、上述の第１、第３の実施形態では、携帯端末の例として携帯電話端末１０を挙げたが、携帯端末は携帯音楽プレーヤ、携帯動画プレーヤなどであってもよい。この場合、通話状態ではなく、使用状態を検出する。また、携帯電話端末１０であっても、通話状態ではなく、他のアプリケーションを含む使用状態を検出するようにしてもよい。例えば、音楽や動画の再生状態を用いてもよいし、ディスプレイの点灯状態を用いてもよい。
【００３９】
また、図１における制御部１１２の機能を実現するためのプログラムをコンピュータ読み取り可能な記録媒体に記録して、この記録媒体に記録されたプログラムをコンピュータシステムに読み込ませ、実行することにより制御部１１２を実現してもよい。なお、ここでいう「コンピュータシステム」とは、ＯＳや周辺機器等のハードウェアを含むものとする。
【００４０】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４１】
以上、この発明の実施形態を図面を参照して詳述してきたが、具体的な構成はこの実施形態に限られるものではなく、この発明の要旨を逸脱しない範囲の設計変更等も含まれる。
【００４２】
（１）本発明の一態様は、発光する発光部と、使用状態を検出する使用状態検出部と、自装置の周辺が暗いか否かを判定する環境判定部と、前記使用状態検出部が検出した使用状態が使用中であり、かつ、前記環境判定部が暗いと判定したときは、前記発光部を発光させる発光部制御部とを具備することを特徴とする携帯端末である。
【００４３】
これにより、夜間など暗くて携帯端末のユーザの詳細な様子がわからないときでも、該ユーザが該携帯端末を使用中であり、周辺への注意力が低下している可能性があるということを周辺の人が容易に把握することができる。
【００４４】
（２）また、本発明の他の態様は、（１）に記載の携帯端末であって、走行している車両の有無を判定する車両検出部を具備し、前記発光部制御部は、前記使用状態が使用中であり、かつ、前記環境判定部が暗いと判定したときは、前記車両検出部の判定結果により、前記発光部を発光させる周期を変更することを特徴とする。
【００４５】
これにより、ユーザが携帯端末を使用中であり、周辺への注意力が低下している可能性があるということを、走行している車両の運転手が容易に把握することができる。
【００４６】
（３）また、本発明の他の態様は、（２）に記載の携帯端末であって、通話用のマイクロフォンを具備し、前記使用状態検出部が検出する使用状態は、自装置が電話端末として動作しており、自装置が通話中であるか否かを示し、前記車両検出部は、通話相手から受けた音声のレベルが所定以上のときに前記マイクロフォンが収音した音の信号を用いて、前記走行している車両の有無を判定することを特徴とする。
【００４７】
これにより、走行している車両の検出に用いるマイクロフォンと、通話に用いるマイクロフォンとを共用していても、走行している車両を検出する際に、通話のための音声による影響を抑えることができる。
【００４８】
（４）また、本発明の他の態様は、（２）に記載の携帯端末であって、前記発光部は、複数の方向の中から指定された方向に向けて発光し、前記車両検出部は、走行している車両の有無を判定するとともに、該車両が位置する方向を検出し、前記発光部制御部は、前記発光部を発光させるときは、前記車両検出部が検出した方向に応じた方向を指定することを特徴とする。
【００４９】
これにより、ユーザが携帯端末を通話中であり、周辺への注意力が低下している可能性があるということを、走行している車両の運転手がより容易に把握することができる。
【００５０】
（５）また、本発明の他の態様は、発光する発光部を具備する携帯端末における通知方法であって、前記携帯端末が、通話状態を検出する第１の過程と、前記携帯端末が、自装置の周辺が暗いか否かを判定する第２の過程と、前記携帯端末が、前記第１の過程にて検出した通話状態が通話中であり、かつ、前記第２の過程にて暗いと判定したときは、前記発光部を発光させる第３の過程とを有することを特徴とする。
【００５１】
（６）また、本発明の他の態様は、発光する発光部を具備する携帯端末のコンピュータを、通話状態を検出する通話状態検出部、自装置の周辺が暗いか否かを判定する環境判定部、前記通話状態検出部が検出した通話状態が通話中であり、かつ、前記環境判定部が暗いと判定したときは、前記発光部を発光させる発光部制御部として機能させるためのプログラムである。
【符号の説明】
【００５２】
１０…携帯電話端末  １０１…アンテナ  １０２…無線通信部  １０３…入力部  １０４…マイクロフォン  １０５…Ａ／Ｄ変換部  １０６…Ｄ／Ａ変換部  １０７…スピーカ  １０８…フラッシライト部  １０９…カメラ部  １０９…表示ドライバ部  １１０…ディスプレイ部  １１１…照度センサ部  １１２…制御部  １４１…通話処理部  １４２…車両検出部  １４３…環境判定部  １４４…発光部制御部
【図１】
2014123869.tif 000003
【図２】
2014123869.tif 000004
【図３】
2014123869.tif 000005
【図４】
2014123869.tif 000006
【図５】
2014123869.tif 000007
【図６】
2014123869.tif 000008
【図７】
2014123869.tif 000009